(57)【特許請求の範囲】
【請求項１】
棒材をつ字状に曲げ木ネジ、ピン、釘等の形状にし、その長い一方を壁等への固定部とし、固定部を壁等に押込み過ぎないような根幹部を設け、多端側は先端を尖らせ針状とするとともに壁との間に掲示物の厚みを考慮した隙間ができる長さとした掲示用アーム。
【請求項２】
棒材をつ字状に曲げ木ネジ、ピン、釘等の形状にし、その長い一方を固定板やプレート等の固定物に固定する固定部とし、多端側は先端を尖らせ針状とするとともに壁との間に掲示物の厚みを考慮した隙間ができる長さとした掲示用アーム。
【発明の詳細な説明】
【０００１】
【産業上の利用分野】
紙等の掲示物を重ねて掲示したい時、又それを取り換えたい時、あるいはその掲示物を裏返しにして掲示したい時等、その都度、壁等からピンを引き抜いて刺し直したりしないでそれが出来る、掲示用アームに関するものである。
【０００２】
【従来の技術】
従来のピン（画鋲）等による掲示の場合、掲示物を重ねたい時、それを取り換えたい時、あるいは裏返しにしたい時、その都度、壁等からピンを引き抜き、再び刺し込む必要があった。作業はめんどうであり、又、同じ位置に止めようとすれば、穴はだんだん大きくなり、従ってその穴では使用出来なくなり、結果として、その付近に新たなピン穴をつけることになり、美観を損ね、かつ掲示物を次第に使い辛い場所に移さざるを得なかった。
【０００３】
【発明が解決しようとする課題】
掲示具（ピン）等を壁から外さず掲示出来、不用な穴を壁に開けない掲示具。
重ねて掲示する時、後から掲示する物が、前の掲示物の前面、背面のどちらにでも掲示出来るもの。
掲示具（ピン）等を外さず掲示物の裏返し掲示が出来るもの。
【０００４】
【課題を解決するための手段】
棒材をつ字状に曲げ、その長い一方を壁等への固定部（１）とし、木ネジピン又は釘等の形状にしたり、あるいは、あらかじめ固定板（８）、又はプレート（１５）等に固定したり、又はそれらに、取り付けられるようにしたものとする。他の一方は、尖らせて針状の刺し込み針（２）とし、掲示物が楽に刺し込められるようにしておく。固定部を木ネジ、釘などの形状にしたものは、壁等に突き刺した時、この先端が壁面から若干離れるように、固定部側にストッパー（３）を設ける。固定板やプレート等に固定するものとしたものも、刺し込み針の先端をそれらの面から、掲示物の厚み分を離すようにする。掲示用アーム自体が、固定部を軸として、壁面、固定板面、あるいはプレート等の上で回転させられ、本掲示用アームを壁等へ固定した後でも、刺し込み針の向きが変えられる選択型と、壁面、固定板面、プレート面あるいは他の掲示部位に完全固定する固定型とを用意する。
【０００５】
【作用】
壁面、あるいはその他の掲示部位への取り付け方について説明する。選択型において、固定部（１）が木ネジであれば、手の腹で湾曲部（５）を包むようにし、ストッパー（３）を指で挟み持ち、固定個所にねじ込み、望みの向きで固定する。固定板（８）又は、プレート（１４）に、本体（１２）が取り付けられるようにした型のものについては、固定板等を壁等の固定部位に固定させた後、本体を望みの方向に向け固定する。固定型の場合、固定部がピン状、釘状のものは、刺し込み針（２）を使用したい方向に向かせて壁等へ刺し込み、固定板あるいはプレート等に、あらかじめ固定されたものも同じように刺し込み針の向きを選んで、固定板等を壁等に固定する。掲示の仕方について説明する。固定部側を上にした、つまつ、刺し込み針が下方となる場合では、壁面と刺し込み針との隙間に、掲示物を下から差し込み、手前に向けて引く。この掲示の仕方は、後日使用したい掲示物を、使用中の掲示物の後方に掲げておくことが出来るもので、先に掲示していたものが不用となったら、それを手前に引きちぎれば、次のものが表示されていることになる。刺し込み針が上方になるように固定すれば、掲示物を逆さに持って、壁面と刺し込み針との間にそれを入れ、手前に引き、下に垂らすことになる。この掲示の仕方は、新しい掲示物を、常に、一番手前にしておきたい時に有効である。湾曲部を長く取っているものは、横向きに固定して使える。この場合、例えば刺し込み針が左側にあれば、その針と壁面との隙間に、左横ないしは下から掲示物を差し込み、手前に向けて引く。掲示物をそのまま刺し込み針側で保持させれば、表面が表示され、根幹部（４）側で保持すれば、掲示物の裏面を表示することができる。又、掲示物の大きなものの場合は、必要に応じて、数個の本アームを用いる。
【０００６】
【実施例】
掲示用アームの作り方について説明する。基本となる部分の作り方は、棒材をつ字状に曲げ、その長い一方を壁等への固定部（１）とし、木ネジ、ピン、釘あるいはネジ等の形状とし、他端は刺し込み針（２）として、先を尖らせ、固定部を壁等に固定した時、壁面との間に、掲示物の厚みを考慮した隙間が出来る長さにしておく。又、固定部を壁等に押し込み過ぎることのないように、根幹部（４）と固定部との間を一段太くする等した、ストッパー（３）を設けておく。これを壁等へ固定した後、刺し込み針を上向き、横向き、下向き等に変えて保持出来る選択型とするものは、固定部の形状を木ネジ、ネジ、あるいはリベット型とする。木ネジ状にしたものは、壁等にねじこんで固定するが、これはねじ込みの加減で、刺し込み針の向きを自由に設定出来る。ネジやリベット型のものは、あらかじめ用意した固定板（８）やプレート（１４）面で固定部を軸として回転出来るようにするが、ネジのものは固定板等に設けた穴（１３）に貫通させナットで止め、リベット型のものは、同じように固定板等を貫通させてから、その端を叩きつぶして止める。この場合、本体は固定部を軸として一定の力以上で回転させられるように、固定板等の穴の中に、リング状等の弾性体（１１）をはめ込んでおく。これによって刺し込み針は、任意の向きで保持出来る。これらを壁等に固定する場合は、固定板等に設けた固定用穴（９）を介し、他の釘、木ネジ等で止める。壁等にいったん取り付けたら、刺し込み針の向きが変えられない、固定型とするものは、その固定部の形状をピン、釘、あるいは固定板やプレートと一体となっているものとする。この一体型のものは、アーム本体を固定板やプレート等に溶接したり、あるいは固定板等の一端を細長く尖らせ、つ字状に曲げて製作する。これらはいずれも、あらかじめ刺し込み針の向きを決めた上で、ピン、釘形のものは壁等に打ち込んで、固定板等に一体化している場合には、それに設けられた固定用穴を介して、他の釘、木ネジ等で壁等に固定する。尚、固定部がピン型のものは、固定後に、その刺し込み針の向きを変えることが可能であるが、その回数が多くなると、壁等から抜け易くなるので、固定型として用いる。刺し込み針の向きを横向きとして、使う場合には、掲示物二枚分が、並列出来る余裕を持たせた、つ字状の幅が必要となる。この場合、固定部は鍵型（１０）等とし、固定板やプレート等に鍵溝を設け、それに差し込んで固定したり、あるいはあらかじめ溶接等によって固定するものとする。掲示物が大きなものの場合は、必要に応じて数本の本アームを使用する。又、あらかじめ、プレート等に多数の本アームを取り付けておけば、掲示板として各種の掲示物を掲げることも可能である。又、この場合プレート材に代えて、ワイヤを格子型に組んで、それに本アームを取り付けることも出来る。使用する者が固定個所を選び、自分で取り付けるようにする場合には、固定部を曲げて固定棒（１６）とし、これを二股等にして引っ掛けたり、ワイヤ側にリングをいくつか設けておき、そこに、固定棒を差し込んだりする。この固定棒を、鴨井等で使用する本アームとする場合には、鴨井をくわえる幅を持たせ折り曲げる。又、掲示物を取り外し易くするために、棒材の湾曲部（５）の内側を鋭角に尖らせたり刃を付属させて、カッター部（６）とすることもできる。又、掲示物を確実に保持させるために、刺し込み針の先端よりやや内側に、凸部（７）を設ける場合もある。次に掲示用アームの使い方について説明する。壁面、あるいはその他の掲示部位への取り付け方については、選択型の場合には、固定部が木ネジであれば、手の腹で湾曲部を包むようにして、ストッパーを指で挟み持ち、固定個所にねじ込み、望みの向きで固定する。固定板、又は、プレートに、本体（１２）が取り付けられるようにした型のものについては、固定板等を壁等の固定部位に固定させた後、本体を望みの方向に向け固定する。固定型の場合、固定部がピン状、釘状のものは、刺し込み針を使用したい方向に向かせて、壁等に刺し込み、固定板あるいはプレート等に、あらかじめ固定されたものも、同じように刺し込み針の向きを選んで、固定板等を壁等に固定する。掲示の仕方について述べると、固定部側を上にした、つまり、刺し込み針が下方となる場合では、壁面と刺し込み針との隙間に、掲示物を下から差し込み、手前に向けて引く。この掲示の仕方は、後日使用したい掲示物を、使用中の掲示物の後方に、掲げておくことが出来るもので、先に掲示していたものが不用になったら、それを手前に引きちぎれば、次のものが表示されていることになる。この引きちぎりを容易にするために、湾曲部の内側を鋭角にしたり、刃をつけてカッター部としている。又、刺し込み針の先端近くの凸部が確実に掲示物を保持するものとする。刺し込み針が上方になるように固定すれば、掲示物を逆さに持って壁面と刺し込み針との間にそれを入れ、手前に引き下に垂らすことになる。この掲示の仕方は、新しい掲示物を、常に一番手前にしておきたい時有効である。湾曲部を長く取っているものは、横向きに固定して使える。この場合、例えば刺し込み針が左側にあれば、その針と壁面との隙間に、左横ないしは下から、掲示物を差し込み、手前に向けて引く。掲示物がそのまま刺し込み針側で、保持されれば、表面が表示でき、根幹部側で保持されれば、掲示物の裏面を表示することが出来る。又、ポスター（１５）等の大きな掲示物の場合には、必要に応じて、数個の本アームを用いる。
【０００７】
【発明の効果】
（イ）掲示具（ピン）等を壁から外さず掲示出来、不用な穴を壁に開けない。
（ロ）重ねて掲示する時、後から掲示する物が、前の掲示物の前面、背面のどちらにでも掲示出来る。
（ハ）掲示具（ピン）等を外さず、掲示物の裏返し掲示が出来る。
（ニ）掲示物を簡単にとりはずせる。
【図面の簡単な説明】
【図１】固定部が木ネジ状の単体の側面図
【図２】格子状のプレートに取り付ける場合の単体形状を示した側面図
【図３】当発明を固着したプレートに穴を設けた場合の斜視図
【図４】当発明を固着した掲示板または掲示板に当発明単体を刺し込んだ斜視図
【符号の説明】
１  固定部、        ２  刺し込み針、
３  ストッパー、    ４  根幹部、
５  湾曲部、        ６  カッター部、
７  凸部、          ８  固定板、
９  固定用穴、    １０  鍵型、
１１  弾性体、    １２  本体、
１３  穴、        １４  プレート、
１５  ポスター等、１６  固定棒
【図１】
0003716450.tif 000002
【図２】
0003716450.tif 000003
【図３】
0003716450.tif 000004
【図４】
0003716450.tif 000005